(57)【要約】【課題】本発明は、ペリクル収納後の収納容器全体の重量増加を極力抑制しながら、輸送時のゆれによる振動に対しても、振動を抑制し得るペリクルの収納方法の提供を目的とする。【解決手段】本発明に係るペリクルの収納方法は、ペリクル枠体２にペリクル膜３が展張されてなるペリクル１を、少なくともトレイ５と蓋４とからなるペリクル収納容器６に収納する方法であって、前記ペリクル１が、前記トレイ５に少なくとも２箇所以上で固定された固定式ペリクル保持部品Ｂに着脱可能な可動式ペリクル保持部品Ａを介して保持・固定されて収納されることを特徴とする。【選択図】図４
2008129453.tif 000002
【特許請求の範囲】
【請求項１】
ペリクル枠体にペリクル膜が展張されてなるペリクルを、少なくともトレイと蓋とからなるペリクル収納容器に収納する方法であって、
前記ペリクルが、前記トレイに少なくとも２箇所以上で固定された固定式ペリクル保持部品に着脱可能な可動式ペリクル保持部品を介して保持・固定されて収納されることを特徴とするペリクルの収納方法。
【請求項２】
前記ペリクル枠体は溝を有し、
前記可動式ペリクル保持部品は、前記溝に挿し込み可能な突起部を有し、
前記溝に前記突起部が挿し込まれ、かつ、前記可動式ペリクル保持部品が前記固定式ペリクル保持部品に嵌合によって固定されることで、前記ペリクルが保持・固定されることを特徴とする請求項１に記載のペリクルの収納方法。
【請求項３】
前記可動式ペリクル保持部品は、前記ペリクル枠体の枠辺に沿って移動させることによって、前記固定式ペリクル保持部品に固定されることを特徴とする請求項１又は２に記載のペリクルの収納方法。
【請求項４】
前記ペリクルが、前記トレイのトレイ面から離隔した状態で保持・固定されることを特徴とする請求項１、２又は３に記載のペリクルの収納方法。
【請求項５】
前記ペリクル枠体の外側面と前記可動式ペリクル保持部品の突起部を備えた根元面とが接し合い、これによって生ずる摩擦抵抗が前記ペリクルを保持・固定する力となることを特徴とする請求項２、３又は４に記載のペリクルの収納方法。
【発明の詳細な説明】
【技術分野】
【０００１】
本発明は、ＬＳＩや液晶パネルを製造する際のリソグラフィー工程で使用されるフォトマスクや、レチクルに異物が付着することを防止するために用いられるペリクルの収納方法に関し、特に液晶用大型ペリクルの収納方法に関するものであって、特に面積１０００ｃｍ２以上の大型ペリクルの収納方法に関する。
【背景技術】
【０００２】
本発明はペリクルを収納する方法に関する技術であるが、先ず、収納すべきペリクルについて説明する。
【０００３】
従来、半導体回路パターン等の製造に於いては、一般にペリクルと呼ばれる防塵手段を用いて、フォトマスクやレチクルへの異物の付着を防止することが行われている。
【０００４】
ペリクルはフォトマスク或いはレチクルの形状に合わせた形状を有する厚さ数ミリ程度の枠体（以下、ペリクル枠体という）の上縁面に、厚さ１０μｍ以下のニトロセルロース或いはセルロース誘導体などの透明な高分子膜（以下、ペリクル膜という）を展張して接着し、かつ該枠体の下縁面に粘着剤を塗着すると共に、この粘着剤上に所定の接着力で保護フィルムを粘着させたものである。
【０００５】
前記粘着剤は、ペリクルをフォトマスク或いはレチクルに固着するために設けられ、また、保護フィルムは、該粘着剤がその用に供するまで該粘着剤の接着力を維持するために、該粘着剤の接着面を保護する。
【０００６】
このようなペリクルを製造者から使用者に運搬するにあたっては、ペリクル膜等に異物が付着するのを防ぎ、或いはペリクルが損傷するのを防ぐために、該ペリクルをトレイと蓋とからなる収納容器に収納し、更に防塵袋等に収納して運搬するのが一般的である（例えば特許文献１を参照。）。
【０００７】
従来、前述の構造を有する収納容器への収納は、一般的には特許文献１にも記載された図を用いて説明すると、図１（特許文献１の図７）及び図２（特許文献１の図８）のようになる。即ち、図１及び図２に於いて、ペリクル膜５２は展張（ピンと張った）状態で枠体５１の一方の上縁面に接着され、枠体５１の他の面（下縁面）には適当な厚さの粘着剤５３が設けられ、さらに粘着剤５３の下面には保護フィルム５４が貼り付けられてペリクルを構成している。このペリクルは、トレイ５５の平坦な面である設置面５５ａの上に保護フィルム５４が接するように置かれる。
【０００８】
トレイ５５の設置面５５ａ上に載置されたペリクルは、トレイ５５に設けられた突起状のポスト５５ｂによって、左右の動きが拘束され、そして蓋５６を上方からかぶせ、クリップ５７によって蓋５６とトレイ５５との四隅を固定することによって収納されていた。この結果、前記ペリクルは、蓋５６の斜面５６ａと、ポスト５５ｂと、設置面５５ａとに囲まれて拘束されて収納されることとなる。またクリップ５７のかわりに、粘着テープを用いて全周を密閉することも一般的に行なわれている。
【０００９】
また、蓋とトレイでペリクル枠体を挟み込む方法によってペリクルを収納する方法もある（例えば、特許文献２の図３を参照。）。
【００１０】
以上説明した収納容器は、樹脂材料を用いて、射出成形や真空成形にて製造するのが一般である。しかし５インチ、６インチの半導体用ペリクルの収納容器は、射出成形で成形することも多いが、面積が１０００ｃｍ２以上ともなる大型ペリクル用の収納容器は、真空成形する場合が多い。真空成形の方が薄肉で大型一体成形品が容易にできるからである。
【００１１】
ところで、ペリクルを収納する収納容器に要求される特性には、ペリクルに塵埃を付着させないための密封性と、ペリクル膜に非接触な状態で確実に保持・固定しうる保持性とが要求されることはもちろん、当然に、経時的に形状が変化しないことが要求される。
【００１２】
仮に、トレイや蓋の反り、ねじれやたわみが生じると、反り、ねじれやたわみによる容器の変形が、粘着剤にそのまま転写し、また、トレイの反りによって粘着剤の一部に局所的に重量がかかり、粘着剤が変形するといった問題が生じてしまうこととなるからである。
【００１３】
このことは即ち、ペリクルをマスクなどに貼り付け時に貼付不良が発生する頻度が高くなることを意味し、具体的には、ペリクルを粘着剤によってマスクやレチクルの面に貼り付けて使用するときにエアーパスと呼ばれるペリクル内外をつなぐ隙間ができ、その箇所からペリクル内に異物が侵入し、ペリクルの機能を果たさなくなる問題が生じることを意味している。
【００１４】
このような反り、ねじれやたわみは、５インチや６インチの半導体用ペリクル収納容器では問題にならない場合もあるが、面積１０００ｃｍ２以上の大型ペリクル用の収納容器になると、収納容器自体も大型化されるため少しの反り、ねじれやたわみであってもペリクル全体に及ぼす影響は大きくなる。
【００１５】
しかも、小型の収納容器であれば変形が問題となることはほとんどないが、面積１０００ｃｍ２以上にもなる大型ペリクル用の収納容器の場合には、両端を持って運ぶ際のたわみやねじれ、縦置きで保管した際の自重による変形、温度による反りなどの変形が生じる場合もあり、その変形が粘着剤に転写されて貼り付け不良に繋がることもある。更に、大型ペリクルでは重量が大きいために小型ペリクルでは問題にならないような小さな貼付不良でも経時的に貼付不良部が広がるといった問題がある。
【００１６】
また、収納容器の反り、ねじれ、たわみによって、例えば、蓋の撓みがペリクル枠体に接触する場合、接触によって生じる蓋などの摩耗粉がペリクル膜に付着し、ペリクルの機能を果たさなくなることがある。さらに収納容器の反り、ねじれ、撓みは、蓋とトレイの嵌合性を損ない、蓋とトレイの隙間から異物が混入し、ペリクルに付着するといった小型大型を問わずペリクル全般における問題点も当然に生じる可能性がある。
【００１７】
このように、ペリクル収納容器の反り、ねじれ、撓みの問題は、従来からある塵の混入、発塵の問題に加え、反り等がペリクルの粘着剤へ転写されることによる貼り付け不良の問題のような大型ペリクルに特有の重大な問題も引き起こしているのである。
【００１８】
このような問題に対して、ペリクルをトレイ表面に直置きして収納するのではなく、ペリクルを構成するペリクル枠体に細工を施して、ペリクルをトレイから浮かせた状態で収納容器中に保持してトレイや蓋の反りが粘着剤に転写することを防止しようとする検討がある。
【００１９】
具体的には、ペリクルの枠体に枠体の外側に凸となるように鍔を付して、鍔の部分を蓋とトレイで挟み込むようにして収納容器に保持する方法（例えば、特許文献３の図２を参照。）、３本の腕をコの字型に繋げたペリクルの枠体を把持するためのペリクル把持装置２の、２本の対向する腕（２ａ、２ｃ）に、枠固定板２１或いは枠固定ピンが配されており、その枠固定板等をペリクル１の枠体に設けられた溝に挿し込んでペリクルを把持し、ペリクル把持装置ごと収納容器に収納する方法（例えば特許文献４の図１〜図４を参照。)、ペリクルを把持するために固定式のフレーム保持ピンを設けたものもある（例えば特許文献６の図１（フレーム保持ピン３）を参照。）。さらには、フレーム保持ピン自体が可動するものもある（例えば、特許文献５の図１（固定ピン１２、可動ピン１３）を参照。）。
【００２０】
【特許文献１】特開２０００‐１７３８８７号公報、図７及び図８
【特許文献２】特開平８‐６２８２８号公報、図３
【特許文献３】特開平１０‐４８８１２号公報、図２
【特許文献４】特開２００５‐３２６６３４号公報、図１〜図４
【特許文献５】特開平９‐２０４０３９号公報、図１
【特許文献６】特開２００６‐２６７１７９号公報、図１
【発明の開示】
【発明が解決しようとする課題】
【００２１】
しかしながら、ペリクルの枠体に鍔を設ける特許文献３に記載の方法では、ペリクルが大型化した場合にペリクル自体の重量が増加するので、自重の増加によるペリクル枠の歪が生じる可能性があるとともに、ペリクルの枠体の幅が実質的に広がるため、ペリクル全体におけるペリクル膜の有効面積が十分でないといった問題がある。
【００２２】
また、ペリクル枠体に溝を設けて、把持装置を用いて収納する特許文献４に記載の方法は、ペリクル膜の有効面積の確保は改善できるものの、把持装置が３本の腕からの組み立て品であることから、部品一つ一つを洗浄して組み立てる作業、及び、組み立てた把持装置に塵の付着がないことを検査する作業、及び、検査で見つけた塵をエアブローや粘着棒などで除去する作業、に非常な時間と労務コストがかかる。又、一度組み立ててしまうと把持装置の塵を除去する為の再洗浄が困難となり、洗い漏れが生ずる可能性が高くなる。加えて、ペリクルが大型化になればなるほど、把持装置自体も大型化され、把持装置ごと収納容器に収納する方法では、重量増加による取り扱いの不便さも生じることとなる。更に、製品の一つ一つの付属品としては把持装置自体にかかる製作コストが大きくなり過ぎ採算性の面からも採用困難となる。
【００２３】
なお、可動式の枠固定ピンとした特許文献５に記載の方法においても、把持装置式と同様の問題、例えば、部品一つ一つの洗浄組立作業、塵の付着がないことを検査する作業及び検査で見つけた塵をエアブローや粘着棒などで除去する作業が必要なこと、並びに、再洗浄が困難であること、の問題がある。さらに、ピンの保持具で支える場合、自重方向にペリクル枠体がたわみやすいという問題、及び、大型ペリクルは垂直置きにされて保管されるときがあるが、このとき下方に位置するピンに大きな応力がかかり、それに耐えうる強度が必要になるという問題がある。
【００２４】
本発明は、ペリクルの保持・固定手段を工夫することによって、上記の諸問題が生じず、最少の時間とコストで塵の付着の無い状態でペリクルを収納することが実現出来るペリクルの収納方法を提供することを主な目的とする。又、ペリクル収納後の収納容器全体の重量増加を極力抑制しながら、輸送時のゆれによる振動に対しても、振動を抑制し得るペリクルの収納方法の提供を目的とする。
【課題を解決するための手段】
【００２５】
本発明者は、前記課題を解決するために鋭意検討した結果、ペリクル収納容器を構成するトレイに固定された固定式ペリクル保持部品と、該固定式ペリクル保持部品に着脱可能な可動式ペリクル保持部品とを用いてペリクルを収納容器に保持・収納する方法の発明を創作するに至った。
【００２６】
具体的には、本発明に係るペリクルの収納方法は、ペリクル枠体にペリクル膜が展張されてなるペリクルを、少なくともトレイと蓋とからなるペリクル収納容器に収納する方法であって、前記ペリクルが、前記トレイに少なくとも２箇所以上で固定された固定式ペリクル保持部品に着脱可能な可動式ペリクル保持部品を介して保持・固定されて収納されることを特徴とする。
【００２７】
本発明に係るペリクルの収納方法では、前記ペリクル枠体は溝を有し、前記可動式ペリクル保持部品は、前記溝に挿し込み可能な突起部を有し、前記溝に前記突起部が挿し込まれ、かつ、前記可動式ペリクル保持部品が前記固定式ペリクル保持部品に嵌合によって固定されることで、前記ペリクルが保持・固定されることが好ましい。可動式ペリクル保持部品と固定式ペリクル保持部品とをいずれも簡易な構造とすることができ、しかも、ペリクルの保持・固定作業が容易となる。
【００２８】
本発明に係るペリクルの収納方法では、前記可動式ペリクル保持部品は、前記ペリクル枠体の枠辺に沿って移動させることによって、前記固定式ペリクル保持部品に固定されることが好ましい。トレイにペリクルを載置する位置の厳密性が要求されず、作業性に優れる。
【００２９】
本発明に係るペリクルの収納方法では、前記ペリクルが、前記トレイのトレイ面から離隔した状態で保持・固定されることが好ましい。ペリクルを保持・固定した時にペリクルをトレイ面から浮いた状態、いわゆる宙釣りの状態で収納することが容易であり、これによって、収納容器の反り、ねじれ、たわみの粘着剤への転写を防止することが可能となる。
【００３０】
本発明に係るペリクルの収納方法では、前記ペリクル枠体の外側面と前記可動式ペリクル保持部品の突起部を備えた根元面とが接し合い、これによって生ずる摩擦抵抗が前記ペリクルを保持・固定する力となることが好ましい。摩擦抵抗を確保しやすいので脱離、振動を起こすことなく安全に搬送することができる。
【発明の効果】
【００３１】
本発明によれば、最少の時間とコストで塵の付着の無い状態でペリクルを収納することが実現出来るペリクルの収納方法を提供することが出来る。しかも、可動式ペリクル保持部品及び固定式ペリクル保持部品は小型化が容易であるのでペリクル収納時の重量増加を抑制することができ、また、輸送時のゆれによる振動をこれらの部品で容易に抑制しながらペリクルの保持・固定が達成できるので、ペリクルを製造時の特性を維持した状態で収納、移送することが達成できる。
【発明を実施するための最良の形態】
【００３２】
以下に、本発明のペリクルの収納方法を詳細に説明する。図４は、本実施形態で使用する収納容器にペリクルを収納した状態を説明するための概略図であり、（ａ）は平面透視図、（ｂ）はａ−ａ線断面図である。図４で示すように、本発明では、ペリクル枠体２にペリクル膜３が展張されたペリクル１を、ペリクル収納容器６を構成するトレイ５に保持・固定する方法を採用し、ペリクル１のトレイ５への保持・固定は、上記したように固定式ペリクル保持部品Ｂ（以下、固定式保持部品Ｂと称する）と可動式ペリクル保持部品Ａ（以下、可動式保持部品Ａと称する）とでなされる。
【００３３】
そこで、先ず、固定式保持部品Ｂについて説明する。固定式保持部品Ｂは、ペリクル収納容器６を構成するトレイ５と蓋４のうち、トレイ５部分に固定されていることを特徴とする。
【００３４】
固定式保持部品Ｂがトレイ５に固定される位置は、後述する可動式保持部品Ａを介して保持・固定されるペリクル１が輸送時におけるゆれに対しても安定して保持・固定される限りにおいて特に限定されるものではないが、図４に示すように矩形のペリクル枠体２を有するペリクル１であれば、対向する一組の枠辺の、各々の枠辺の少なくとも任意の１個所以上が把持されるように配置されていればよく、より確実に保持・固定するには少なくとも２箇所以上が把持されるように配置されていることが好ましい。なお、長辺と短辺の組合せからなる矩形のペリクルであれば、好ましくは長辺のペリクル枠体が把持されるように配置されればよい。図４では、対向する長辺の枠辺をそれぞれ２箇所で把持している。
【００３５】
より具体的な固定位置としては、ペリクル枠体自体の強度が比較的強度が高く、歪みにくいペリクル枠体のコーナー近傍に配置することで十分であるが、ペリクルが大型化すると、ペリクル枠体の枠辺の中央部付近が、輸送時のゆれにより振動する為、コーナー近傍以外にペリクル枠体の枠辺の中央部付近の対応する位置に配置することが好ましい（不図示）。
【００３６】
その場合の固定式保持部品Ｂの配置位置の目安としては、ペリクル枠体を等分するような位置であることが好ましい。即ち、コーナー以外に一箇所配置するのであれば、枠辺を２等分した中央部付近、二箇所配置するのであれば枠辺を３等分にした付近のように配置することが好ましい。
【００３７】
次に、本発明で使用する固定式保持部品Ｂの形状について説明する。図５は、固定式保持部品Ｂと可動式保持部品Ａとを用いて、ペリクルを保持・固定する動作を説明するための部分拡大平面図であり、（ａ）は可動式保持部品Ａの嵌め込み前の状態を説明する図、（ｂ）は可動式保持部品Ａの嵌め込み途中の状態を説明する図、（ｃ）は可動式保持部品Ａの嵌め込み後の状態を説明する図、である。図６は、図５のｂ‐ｂ矢視図であり、（ａ）は可動式保持部品Ａの嵌め込み途中の状態を説明する図、（ｂ）は可動式保持部品Ａの嵌め込み後の状態を説明する図、（ｃ）はスライドロック構造を説明する図、である。固定式保持部品Ｂは、後述する可動式保持部品Ａを嵌め込み方式によって着脱可能となるような構造を備えていればよく、可動式保持部品Ａの嵌め込む方向は、トレイに対して、平行であっても直角な方向であっても構わないが、大型ペリクルに対応する為には、ペリクルを持ち上げながら可動式保持部品Ａを固定式保持部品Ｂに嵌め込まなくでもすむように、図６に示すように、可動式保持部品Ａをトレイ５の面５ａに対して平行にスライドさせて嵌め込むタイプが好ましい。
【００３８】
可動式保持部品Ａを固定式保持部品Ｂに嵌め込むときに、可動式保持部品Ａをトレイ５の面５ａに対して平行にスライドさせて嵌め込むタイプは、例えば、トレイ５にペリクル１を収納し、固定するときに、当初より厳密な位置に載置する必要がない。すなわち、可動式保持部品Ａをスライドさせて固定式保持部品Ｂに嵌め込むと同時に、ペリクル１が最終的に保持・固定される位置に移動し、調整されるからである。また、可動式保持部品Ａをスライドさせる動作に合わせてペリクル１をトレイ５から浮かす動作を進めることが容易である。この２つの動作は、可動式保持部品Ａと固定式保持部材Ｂとの形状によって容易に規制することが可能である。
【００３９】
さらに、着脱を容易にするために、固定式保持部品Ｂには、図６に示すように鉤状のスライドロック構造をもたせることが好ましい。例えば、固定式保持部品Ｂが、底板２０と天板２２とそれらをほぼ平行状態で支持する支持板若しくは支持棒２１を構成要素として含み、天板２２の一端に鉤７が設けられている。底板２０と天板２２との間に可動式保持部品Ａがスライドして入り込み（図６（ａ））、底板２０と天板２２と支持板（若しくは支持棒）２１とによって可動式保持部品Ａが嵌合されたときに、鉤７が可動式保持部品Ａをロックして、入ったときとは反対方向の移動を規制する（図６（ｂ））。そして、天板２２の鉤７が設けられた側の他端を押すことで、ロックが解除され、可動式保持部品Ａの取り外しが可能となる（図６（ｃ））。
【００４０】
なお、上記スライドロック構造を設けない場合には、テープ止めによって着脱させても構わない。
【００４１】
また、固定式保持部品Ｂには、ペリクルの製作寸法公差および固定式保持部品Ｂの取り付け間隔寸法公差を吸収するため、且つ、輸送時のゆれによる振動を吸収して保持・固定を確実にするために、振動吸収構造を備えることが好ましい。寸法公差の吸収をペリクル枠体２の変形なしで行うことができる。図７は、固定式保持部品Ｂが振動吸収構造を備えた形態例を示す概略図であり、（ａ）は部分拡大平面図、（ｂ）は図５のｂ−ｂ矢視図と同様の方向から見た正面図である。図７に示すように、固定式保持部品Ｂが備える振動吸収構造は、具体的には、板バネ８をあげることができる。板バネ８は、突起部１０が設けられている面の対向する面に設けられることが好ましい。固定式保持部品Ｂには、図７に示すように、単純な構造の振動吸収構造を設けることができるので、洗浄漏れや、擦れによる発塵の問題を解消することができる。
【００４２】
固定式保持部品Ｂの材質は、超高分子ポリエチレン、テフロン（登録商標）、ポリエーテルエーテルケトン、ＭＣナイロン等のエンジニアリング樹脂やポリプロピレンを用いることができる。中でも、射出成型性が良好で大量生産可能なポリプロピレンが好ましい。
【００４３】
固定式保持部品Ｂの大きさは、ペリクルの保持・固定を確実にするためにはペリクル枠体全体を覆うような形状も考えられるが、そのような形状を採用すると、洗浄と検査に時間がかかる上、部品自体の自重が重くなることとなり、収納容器自体の重量増加の原因となる。その為、本発明では、ペリクルの大きさと、後述する可動式保持部品Ａが有する突起形状の大きさ、及びその突起形状が支えるペリクル枠体の位置、そして、上記可動式保持部品Ａを保持・固定する為の固定式保持部品Ｂの全体的なバランスを検討した結果、固定式保持部品Ｂの一つのペリクル枠体に平行する方向の長さは、下限が２．５ｃｍ以上、好ましくは４．０ｃｍ以上であり、一方、上限は２０．０ｃｍ以下、好ましくは１０．０ｃｍ以下である。
【００４４】
固定式保持部品Ｂをトレイに固定する方法については、ネジ、接着剤のような一般的な固定方法があげられる。
【００４５】
固定をネジによって行う場合、例えば図４に示すように、固定式保持部品Ｂを配置するトレイ面５ａの反対側の面５ｂに固定式保持部品Ｂ共通取り付けベース９（以下、共通取り付けベースという）を配置し、固定式保持部品Ｂを、トレイ５を挟んで共通取り付けベース９にネジ止めすることが好ましい。
【００４６】
この共通取り付けベース９に用いる材料は、輸送時の温度変化による熱膨張によって生じるペリクル枠体２の寸法変化に追随できるように、ペリクル枠体２の部材と同一の材料にすることが好ましいが、同一でない場合でもペリクル枠体２の熱膨張係数の±５％以内の部材であれば構わない。
【００４７】
具体的には、ペリクル枠体２がアルミニウム、炭素鋼又はセラミック等の材料から製造されるので、共通取り付けベース９も上記材料と同じ材料から選ばれることが好ましい。
【００４８】
なお、共通取り付けベース９は、トレイ５を挟んで固定式保持部材Ｂの対向する位置に配置すれば十分であるが、共通取り付けベース９を、例えばトレイ５を挟んで載置するペリクル枠体２に対向する部分全体に枠状に配置すれば（図４）、取り付けベースの機能に加え、収納容器６のねじれ等の抑制の為の補強材としての機能を付加することも可能である。
【００４９】
また、トレイ５自体の材料をペリクル枠体２の部材と同一材料若しくはペリクル枠体２の熱膨張係数の±５％以内の部材とすることにより、共通取り付けベース９を使用せずに、固定式保持部品Ｂをトレイ５に直接ネジ止めすることも可能である。
【００５０】
次に、可動式保持部品Ａについて説明する。可動式保持部品Ａは、ペリクル１を保持するための突起部を有し、且つ、固定式保持部品Ｂに嵌め込まれて固定される構造を有することを特徴とする。可動式保持部品Ａの突起部１０は、具体的には、図５に示した爪形状の突起部、又は、図８に示した偏芯回転鍔形状の突起部があげられるが、ここでは図５に示した爪形状の突起部を例として説明する。可動式保持部品Ａは、ペリクル枠体２の枠辺に沿って移動させることによって、固定式保持部品Ｂに固定されることが好ましい。トレイにペリクルを載置する位置の厳密性が要求されず、作業性に優れる。さらに可動式保持部品Ａは、突起部１０を溝１２に挿し込んだ状態で、突起部１０を溝１２に沿って移動させることによって、固定式保持部品Ｂに固定されることがより好ましい。突起部１０と溝１２がガイドとなって可動式保持部品Ａを固定式保持部品Ｂに固定する作業が格段に向上する。なお、図８は、可動式保持部品Ａの突起部の形状が偏芯回転鍔形状である形態を説明するための概略図であり、（ａ）はペリクル枠体を保持・固定する前の状態、（ｂ）はペリクル枠体を保持・固定した後の状態、を示した。
【００５１】
先ず、図５に示すように可動式保持部品Ａは、固定式保持部品Ｂに嵌め込むことが可能な可動式保持部品Ａの直方体部分１１と、直方体部分１１に取り付けられ或いは一体に成形された、後述するペリクル枠体２の溝１２に挿し込む為の爪形状の突起部１０を有することを特徴とする。
【００５２】
爪形状の突起部１０の形状は、配置される可動式保持部品Ａ及び固定式保持部品Ｂ（以下、可動式保持部品Ａと固定式保持部品Ｂとの組を１セットとして表すとき、保持部品と称する）の組数とペリクルの大きさによって様々であるが、通常、爪の長さＬは、ペリクル枠体２の枠辺の長手方向における固定式保持部品Ｂの長さの半分程度であることが好ましく、具体的な長さで表すと１ｃｍ以上、好ましくは２ｃｍ以上であり、上限は１０ｃｍ以下、好ましくは５ｃｍ以下である。
【００５３】
又、爪形状の突起部１０がペリクル枠体２の溝１２に挿し込まれる方向の長さ（爪の幅）Ｗ１については、ペリクル枠体２の幅Ｗ２とペリクルを保持する為の強度と輸送時のゆれによる振動の幅とを考慮すると、図５に示すように、突起部１０（爪）の幅Ｗ１は、ペリクル枠体２の幅Ｗ２に対して１０％以上、好ましくは１５％以上であって、上限は４０％以下、好ましくは３５％以下である。
【００５４】
図９は、図５のａ−ａ矢視図であって、図５（ｃ）に相当する、ペリクルを保持・固定したときの状態を説明するための概略図である。図９に示すように、本発明の可動式保持部品Ａと固定式保持部品Ｂによってペリクルを保持する方法においては、主に、ペリクル枠体２の外側面１４と可動式保持部品Ａのペリクル枠体２の外側面１４に接触する面（突起部を備えた根元面１５）との摩擦抵抗が、保持・固定の重要な要素である。ここで図９において、ペリクル枠体２の外側面と可動式保持部品Ａのペリクル枠体２の外側面１４に接触する面（突起部１０を備えた根元面１５）とが接する面を接触摩擦保持面１３と称して表示した。
【００５５】
本発明では、ペリクル枠体２の外側面１４と可動式ペリクル保持部品Ａの突起部１０を備えた根元面１５とが接し合い、これによって生ずる摩擦抵抗がペリクルを保持・固定する力となることが好ましい。保持部品１セット当りの摩擦抵抗は、ペリクル枠体２の対向する枠辺のコーナー近傍の各１箇所を可動式保持部品Ａと固定式保持部品Ｂとで保持・固定した状態で、ペリクル枠体２の保持・固定辺と平行方向にバネ秤で引張り、ペリクル枠体２が動き始めた力の１／２であることから測定することができる。全摩擦抵抗は、測定した１セット当りの摩擦抵抗に保持・固定点数を掛け合わせて求めることが出来る。この全摩擦抵抗が小さいと、保持・固定が不十分となり、ペリクルの脱離、振動の原因となる。そこで、摩擦抵抗を具体的な数字で示すと、ペリクルを確実に保持・固定するには、少なくとも全摩擦抵抗は０．４ｋｇｆあると、脱離、振動を起こすことなく安全に搬送することができることが判明した（図９）。即ち、保持・固定点数がペリクル枠体２のコーナー近傍の４点で、ペリクル枠体２と可動式保持部品Ａの摩擦係数が０．４の時に、押し力  ０．２５ｋｇｆ以上で脱離、振動を起こすことなく安全に搬送することができる。
【００５６】
なお、上記摩擦抵抗を必要とする可動式保持部品Ａは、主に、ペリクル枠体２のコーナー近傍のようなペリクル枠体２のうち相対的に強度の高い位置に配置された可動式保持部品Ａである。ここで、図１０は、図５のａ−ａ矢視図であって、（ａ）は可動式保持部品Ａの突起部をペリクル枠体２の溝１２に挿し込むときの状態を説明する図、（ｂ）は挿し込みが完了し、さらにペリクル枠体２をトレイ５から離隔した状態を説明する図、である。なお、図１０において、固定式保持部品Ｂは記載を省略した。
【００５７】
ペリクルの製作寸法公差および固定式保持部品Ｂの取り付け間隔寸法公差の吸収、並びに、輸送時のゆれによる振動の吸収は、図７に示すように固定式保持部品Ｂに板バネ８などの振動吸収構造を設けて達成することもできるが、可動式保持部品Ａの構造によって振動吸収させることも可能である。寸法公差の吸収をペリクル枠体２の変形なしで行うことができる。図１１は可動式保持部品Ａが振動吸収構造を備えた形態例を示す概略図であり、（ａ）は部分拡大平面図、（ｂ）は図５のｂ−ｂ矢視図と同様の方向から見た正面図である。具体的には、図１１のように、可動式保持部品Ａが固定式保持部品Ｂに嵌め込まれる個所にバネ状の、例えばＳ文字形状状の振動吸収構造１８を設けるものである。振動吸収構造１８は、突起部１０が設けられている面の対向する面に設けられることが好ましい。可動式保持部品Ａには、図１１に示すように、単純な構造の振動吸収構造１８を設けることができるので、洗浄漏れや、擦れによる発塵の問題を解消することができる。また、このような振動吸収構造１８は、振動によって生じる力を当該個所に集中させる為、耐久性の観点で振動吸収構造を設けていない他の個所より一般に劣る。そのため、振動吸収構造１８は、部品の変換が簡便な可動式保持部品Ａに設けることが、固定式保持部品Ｂに設けるより効果的である。なお、上記振動吸収構造（図７の板ばね８、図１１のＳ文字形状の振動吸収構造１８）は、摩擦抵抗の調整にも利用することができる。具体的には、ペリクル枠体２の外側面１４と可動式保持部品Ａの突起部１０を備えた根元面１５との摩擦抵抗は、ペリクル枠体２の外側面１４を可動式保持部品Ａの根元面１５が押す力を大小させることで調整が可能である（符号は図９を参照。）。この押し力は、可動式保持部品Ａ、若しくは、固定式保持部品Ｂに設ける振動吸収構造のバネ力を大小させることによって、具体的に振動吸収構造材の厚さを大小させるなどによって、容易に調整が可能である。
【００５８】
また、振動吸収を可動式保持部品Ａ全体で行うことも可能である。具体的には、可動式保持部品Ａの部材を、ポリウレタン等の弾性変形の可能なゴム系樹脂にする形態がある。
【００５９】
なお、振動吸収効果を部材自体に持たせない場合の可動式保持部品Ａの部材としては、超高分子ポリエチレン、テフロン（登録商標）、ポリエーテルエーテルケトン、ポリアセタール、ＭＣナイロン等のエンジニアリング樹脂やポリプロピレン等の汎用樹脂を挙げることができるが、中でも、射出成型性が良好で大量生産可能なポリプロピレン、または、ペリクル枠体２との接触磨耗発塵が起こり難い超高分子ポリエチレンが好ましい。
【００６０】
その他にも、カーボン等の導電性材料を練り込んだ帯電防止仕様樹脂も塵付着防止の面から効果的である。なお、ペリクルが大型化した場合には、ペリクル枠体２の一つの枠辺の中間部分にも可動式保持部品Ａを配置してもかまわない。この場合には、可動式保持部品Ａには、上記摩擦抵抗の効果はコーナー近傍に配置する場合ほど要求されない。ペリクルの重量を支えるのみの機能を有すれば充分である。
【００６１】
なお、可動式保持部品Ａの突起部１０が、図８に示すように、偏芯回転鍔形状を有する場合、ペリクル枠体２がトレイ５に置かれた状態（図８（ａ））において、可動式保持部品Ａを、軸１７を中心に回転させると、軸１７は中心軸に設けず、偏芯した状態で設けられているため、鍔（突起部）１０が軸１７の回転とともにペリクル枠体２の溝１２に近づき、次いで、挿し込まれ、次いで、ペリクル枠体２がトレイ５から浮いた状態で保持・固定される（図８（ｂ））。このとき、ペリクル枠体２の外側面１４と可動式保持部品Ａの突起部１０が設けられた根元面１５とが接し合い、ペリクル枠体２の外側面１４が根元面１０に押し付けられることによって生ずる摩擦抵抗が、ペリクル１を保持・固定する力となる。なお、偏芯回転鍔形状を有する可動式保持部品Ａの場合、偏芯度合によって摩擦抵抗を調整できる。
【００６２】
図８〜図１０で示したように、トレイ５のトレイ面５ａからの突起部１０の高さを、ペリクル１の底面からの溝１２の高さよりも大きく設定して、ペリクル１が、トレイ面５ａから離隔した状態で保持・固定されることが好ましい。収納容器の反り、ねじれ、たわみの粘着剤への転写を防止することが可能となる。さらに、ペリクル１をトレイ５から浮かした状態で保持・固定する場合、突起部１０の形状を爪形状とし、溝１２に挿し込む形態とすると、次の利点が得られる。すなわち、幅の非常に少ないピンタイプの保持具を用いると、ペリクル枠体２を点で支えることとなるため、たわみやすいが、爪形状とすると、幅があるため線で支えることができ、自重方向のペリクル枠体２のたわみを抑制することができる。また、爪形状の突起部１０とすると、保持具自体の強度が高く、収納容器の水平置き時のみならず、大型ペリクルの保管で頻繁に行われる垂直置き時も、保持具にかかる力に耐える強度としやすい。
【００６３】
ペリクル１をトレイ５から浮かせた状態で離隔することが可能な保持部材の他形態について図１２を参照して説明する。図１２は、ペリクルをトレイから浮かせた状態で離隔することが可能な保持部材の他形態を説明する概略図であり、（ａ）は可動式保持部品Ａの嵌め込み前の図５のａ−ａ矢視に相当する図、（ｂ）は可動式保持部品Ａの嵌め込み前の図５のｂ−ｂ矢視に相当する図、（ｃ）は可動式保持部品Ａの嵌め込み後の図５のａ−ａ矢視に相当する図、（ｄ）は可動式保持部品Ａの嵌め込み後の図５のｂ−ｂ矢視に相当する図、である。図９と図１０に示した可動式保持部品Ａは、トレイ５の上に載置したときに爪形状の突起部１０のトレイ面５ａからの高さが、ペリクル１の底面からの溝１２の高さよりも大きいため、ペリクル枠体２の溝１２に爪形状の突起部１０を挿し込んで可動式保持部品Ａを固定式保持部材Ｂに嵌め込んだときにペリクル枠体２が浮いた状態でトレイ５から離隔され、保持・固定される。一方、図１２に示した可動式保持部品Ａは、トレイ５の上に載置したときに爪形状の突起部１０のトレイ面５ａからの高さが、ペリクル１の底面からの溝１２の高さとほぼ同じであるため、ペリクル枠体２の溝１２に爪形状の突起部１０を挿し込んだときに可動式保持部品Ａがペリクル１の重量を支持しない状態でトレイ５に載置されることとなる（図１２（ａ））。図１２（ｂ）に示すように固定式保持部品Ｂは、可動式保持部品Ａをスライドさせながらはめ込むときに、可動式保持部品Ａを持ち上げるためのスロープ１９を有する。これによって、可動式保持部品Ａをスライドさせて固定式保持部品Ｂに嵌合すると、ペリクル枠体２が浮いた状態でトレイ５から離隔され、保持・固定される（図１２（ｃ））。可動式保持部品Ａは、固定式保持部品Ｂのスライドロック構造の鉤７によってロックされる（図１２（ｄ））。図９、図１０及び図１２からわかるように、可動式保持部品Ａを固定式保持部品Ｂに嵌合したときにおいて、爪形状の突起部１０のトレイ面５ａからの高さが、ペリクル１の底面からの溝１２の高さよりも大きくなるように構成すれば、ペリクル枠体２が浮いた状態でトレイ５から離隔され、保持・固定される。
【００６４】
次に、可動式保持部品Ａの突起部１０を挿し込む溝１２を有するペリクル１について説明する。ペリクル１は上記したようにペリクル枠体２と展張されたペリクル膜３から構成される。本発明では、ペリクル枠体２の外側面１４に溝１２を有していることを特徴とする。
【００６５】
溝１２は、固定式保持部品Ｂがどのような位置に配置されても対応できるようにペリクル枠体２の全周に施されても構わないが、ペリクル枠体２の歪予防の点から、及び、ペリクル１の横ズレ防止の点からは、固定式保持部品Ｂが配置された位置に対応する個所に施されることが好ましい。
【００６６】
そこで、図５（コーナー部分に保持部品を配置）を例にあげて説明する。図１０及び図９も同時に参照する。図５、図１０及び図９から明らかなように、可動式保持部品Ａがペリクル枠体２に挿し込む突起部１０を有し、かつ、ペリクル枠体２が突起部１０を挿し込んだ状態で可動式保持部品Ａを固定式保持部品Ｂにスライドして固定するまでの長さの溝１２を有することが示されている。
【００６７】
ペリクル枠体２の左コーナー近傍において溝１２の配置を図５と対称配置にすれば、各コーナーの溝終端部１２ａを可動式保持部品Ａの先端部で両側から当て止め規制することになりペリクル１の横ズレが防止できる。例えば、図４に示される形態である。
【００６８】
図５は固定式保持部品Ｂがペリクル枠体２のコーナー近傍に配置された場合を示したが、固定式保持部品Ｂがペリクル枠体２の中間部分に配置された場合であっても、ペリクル枠体２に配置される溝１２は、可動式保持部品Ａの突起形状部分を挿し込む位置とスライドする距離に配置されることに変わりはない（不図示）。
【００６９】
なお、可動式保持部品Ａの突起部（爪部分）１０が挿し込まれる方向の溝１２の長さは、少なくとも爪の幅Ｌより大きいことが必要である。
【００７０】
以上、本発明の収納方法に用いるペリクル枠体２の溝１２、可動式保持部品Ａ、固定式保持部品Ｂについて説明した。
【００７１】
次に、上記部品等を用いてペリクルを収納する手順について先ほどの図５を参照しながら説明する。
【００７２】
先ず、ペリクルを、ペリクル収納容器を構成するトレイ５上に載置する（図５（ａ））。そして、ペリクル枠体２に施された溝１２に、可動式保持部品Ａの突起部１０を挿し込み（図５（ｂ））、その状態を維持しながら、溝１２に沿って、可動式保持部品Ａをスライドさせて固定式保持部品Ｂに嵌め込む（図５（ｃ））。
【００７３】
このような作業を全ての固定式保持部品Ｂに対して実施すると、ペリクルはトレイ５に保持・固定されることとなり、図４に示したように、トレイ５に蓋４をすれば、ペリクル収納容器６への保持・固定が完了することとなる。
【００７４】
以上、本発明の収納方法について説明した。
【００７５】
本発明によれば、最少の時間とコストで塵の付着の無い状態でペリクルを収納することが実現出来るペリクルの収納方法を提供することが出来る。しかも、可動式ペリクル保持部品及び固定式ペリクル保持部品は小型化が容易であるのでペリクル収納時の重量増加を抑制することができ、また、輸送時のゆれによる振動をこれらの部品で容易に抑制しながらペリクルの保持・固定が達成できるので、ペリクルを製造時の特性を維持した状態で収納、移送することが達成できる。
【００７６】
さらに、本発明では、可動式保持部品Ａの突起部１０の高さを調整することで、ペリクル１を保持・固定した時にペリクル１をトレイ面５ａから浮いた状態、いわゆる宙釣りの状態で収納することも可能となり（図９、１０）、収納容器の反り、ねじれ、たわみの粘着剤への転写を防止することが可能となる。
【００７７】
なお、本発明の通常の実施形態としては、ペリクル枠体２の対向し合う２つの枠辺の少なくともコーナー近傍の各２箇所、合計で少なくとも４箇所に固定式保持部品Ｂと可動式保持部品Ａのセットを適用するが、ペリクル収納容器６のトレイ面５ａの平坦性が許容限度内にあり、かつ、ペリクル１をトレイ面５ａから浮いた状態で収納しない場合においては必ずしもそうする必要はない。即ち、ペリクル枠体２の対向し合う２つの枠辺の内の１辺について少なくとも２箇所に固定式保持部品Ｂと可動式保持部品Ａのセットを適用し、もう１辺については少なくとも２箇所にトレイ５上にネジ止めしたポスト状の固定ストッパーを適用すれば良い（不図示）。
【００７８】
以下に、本発明を具体的実施例により説明する。外形１３６６ｍｍ×１１４６ｍｍ、幅１２ｍｍ、高さ５．６ｍｍで外側面の長辺コーナー近傍の４箇所に長さ５０ｍｍ、幅１.５ｍｍ、深さ２．２５ｍｍの溝を設け、さらに、長辺中央部の２箇所に長さ１００ｍｍ、幅１.５ｍｍ、深さ２．２５ｍｍの溝を設けたアルミニウム製のペリクル枠体を準備した。このペリクル枠体を長辺コーナー近傍の４箇所（コーナーから２３〜５０ｍｍの範囲）及び辺中央部２箇所で固定式保持部品Ｂと可動式保持部品Ａにより保持・固定した。固定式保持部品Ｂは材質をポリプロピレンとし、ペリクル枠体の長辺の枠辺に平行する方向の長さを５１ｍｍとした。固定式保持部品Ｂはアルミニウム製トレイのトレイ面に直接ネジ止めした。可動式保持部品Ａは材質をポリプロピレンとし、ペリクル枠体の溝部分に挿し込む爪形状の突起部の幅（Ｌに相当）を２７ｍｍ、長さ（Ｗ１に相当）を１.５ｍｍとした。コーナー近傍４箇所においてはペリクル枠体の外側面の溝上側面を可動式保持部品Ａの爪形状の突起部で支えることによってペリクル重量を支えると共に、ペリクル枠体外側面を可動式保持部品Ａの爪形状の突起部の根元面で押さえて固定した。例えば、図９を参照すると、ペリクル枠体２の外側面１４の溝１２の上側面は符号１６で示したペリクル重量支持面となる。この押え力０．２５ｋｇｆによる摩擦力は０．１ｋｇｆ、計４箇所での全摩擦力は０．４ｋｇｆであった。長辺中央２箇所においては押え力をかけずに爪形状の突起部でペリクル重量を支えるのみとした。この状態でペリクル粘着材下面をトレイ面から約４ｍｍ浮かせてペリクルを保持・固定した。
【００７９】
この状態での保持・固定状態を、輸送時の振動を想定した重力加速度５Ｇの水平落下試験で確認したところ、ペリクルの脱離は無く、保持・固定部の発塵も見られなかった。また、粘着材の変形も無かった。
【００８０】
一方、保持・固定の準備の為の洗浄、検査、塵取りの時間は１ケース当り約１０分で終了した。比較例として、前述の把持装置式を評価したところ、洗浄、組立、検査、塵取りに要する時間は１ケース当り約９０分で終了した。したがって、９分の１の時間短縮が達成された。
【００８１】
また、製作にかかるコストは、射出成型によれば、比較例と比べると、１ケースあたり、約３０分の１に大幅に下げることが可能であった。
【産業上の利用可能性】
【００８２】
本発明の活用例として、ＬＳＩ（大規模集積回路）、ＴＦＴ型ＬＣＤ（薄膜トランジスタ液晶ディスプレイ）等の半導体装置を製造する際のリソグラフィー工程で使用されるフォトマスクやレチクルに異物が付着することを防止するために用いられるペリクルを収納して保管、搬送するためのペリクル収納容器に適用でき、特に液晶用大型ペリクルの収納容器に好適である。
【図面の簡単な説明】
【００８３】
【図１】従来のペリクル収納ケースを示す一部切欠平面図である。
【図２】図１のペリクル収納ケースの要部の構成を示す断面説明図である。
【図３】従来のペリクル収納ケースの要部の構成を示す断面説明図である。
【図４】本実施形態で使用する収納容器にペリクルを収納した状態を説明するための概略図であり、（ａ）は平面透視図、（ｂ）はａ−ａ線断面図である。
【図５】固定式保持部品Ｂと可動式保持部品Ａとを用いて、ペリクルを保持・固定する動作を説明するための部分拡大平面図であり、（ａ）は可動式保持部品Ａの嵌め込み前の状態を説明する図、（ｂ）は可動式保持部品Ａの嵌め込み途中の状態を説明する図、（ｃ）は可動式保持部品Ａの嵌め込み後の状態を説明する図、である。
【図６】図５のｂ‐ｂ矢視図であり、（ａ）は可動式保持部品Ａの嵌め込み途中の状態を説明する図、（ｂ）は可動式保持部品Ａの嵌め込み後の状態を説明する図、（ｃ）はスライドロック構造を説明する図、である。
【図７】固定式保持部品Ｂが振動吸収構造を備えた形態例を示す概略図であり、（ａ）は部分拡大平面図、（ｂ）は図５のｂ−ｂ矢視図と同様の方向から見た正面図である。
【図８】可動式保持部品Ａの突起部の形状が偏芯回転鍔形状である形態を説明するための概略図であり、（ａ）はペリクル枠体を保持・固定する前の状態、（ｂ）はペリクル枠体を保持・固定した後の状態、を示す。
【図９】図５のａ−ａ矢視図であって、図５（ｃ）に相当するペリクルを保持・固定したときの状態を説明するための概略図である。
【図１０】図５のａ−ａ矢視図であって、（ａ）は可動式保持部品Ａの突起部をペリクル枠体２の溝１２に挿し込むときの状態を説明する図、（ｂ）挿し込みが完了し、さらにペリクル枠体２をトレイ５から離隔した状態を説明する図である。
【図１１】可動式保持部品Ａが振動吸収構造を備えた形態例を示す概略図であり、（ａ）は部分拡大平面図、（ｂ）は図５のｂ−ｂ矢視図と同様の方向から見た正面図である。
【図１２】ペリクルをトレイから浮かせた状態で離隔することが可能な保持部材の他形態を説明する概略図であり、（ａ）は可動式保持部品Ａの嵌め込み前の図５のａ−ａ矢視に相当する図、（ｂ）は可動式保持部品Ａの嵌め込み前の図５のｂ−ｂ矢視に相当する図、（ｃ）は可動式保持部品Ａの嵌め込み後の図５のａ−ａ矢視に相当する図、（ｄ）は可動式保持部品Ａの嵌め込み後の図５のｂ−ｂ矢視に相当する図、である。
【符号の説明】
【００８４】
Ａ  可動式ペリクル保持部品
Ｂ  固定式ペリクル保持部品
１  ペリクル
２  ペリクル枠体
３  ペリクル膜
４  蓋
５  トレイ
５ａ  トレイ面
５ｂ  トレイ面の反対側の面
６  ペリクル収納容器
７  鉤
８  板バネ
９  固定式ペリクル保持部品Ｂ共通取り付けベース
１０  突起部
１１  可動式保持部品Ａの直方体部分
１２  溝
１２ａ  溝終端部
１３  接触摩擦保持面
１４  ペリクル枠体の外側面
１５  突起部を備えた根元面
１６  ペリクル重量支持面
１７  軸
１８  振動吸収構造
１９  スロープ
２０  底板
２１  支持板若しくは支持棒
２２  天板
【図１】
2008129453.tif 000003
【図２】
2008129453.tif 000004
【図３】
2008129453.tif 000005
【図４】
2008129453.tif 000006
【図５】
2008129453.tif 000007
【図６】
2008129453.tif 000008
【図７】
2008129453.tif 000009
【図８】
2008129453.tif 000010
【図９】
2008129453.tif 000011
【図１０】
2008129453.tif 000012
【図１１】
2008129453.tif 000013
【図１２】
2008129453.tif 000014